(57)【要約】【課題】  電子機器用卓上および壁掛け装置において、卓上で使用する場合と壁掛けで使用する場合との間の切替えの作業性を向上させる。【解決手段】  本体部材２は、機器底面の弾性係合片が係合孔５の両側縁に係合することにより、機器底面に表裏および前後方向を反転させて着脱自在に取り付けられる。角度調整部材３は、本体部材２の軸１１ａが長孔１７ｃに係入されることにより、本体部材２に回転自在に支持され、規制片１９が本体部材２の下端縁２ａに係合することにより回転が規制される。電子機器が本体２の表面２Ａ側に取り付けられ、壁面に植設されたボルトがフック孔６Ａ，６Ｂに係入されることにより、電子機器が壁面に設置される。電子機器用卓上および壁掛け装置１を機器底面に表裏および前後方向を反転させて着脱自在に取り付けることにより、電子機器が卓上に設置される。【選択図】  図１
2010239175.tif 000002
【特許請求の範囲】
【請求項１】
機器底面に表裏および前後方向を反転させて着脱自在に取り付けられるとともに、壁面に着脱自在に取り付けられる本体部材と、
前記本体部材の一端に支持され、機器底面の前側に位置する壁面設置時には壁面と機器底面との間の空間に収容され、機器底面の後側に位置する卓上設置時には、卓上と前記本体部材との間に位置し機器正面の操作面の卓上面に対する角度を調節する角度調整部材と、
を備えたことを特徴とする電子機器用卓上および壁掛け装置。
【請求項２】
前記角度調整部材を前記本体部材に回転自在に支持させ、前記角度調整部材の回転を回転方向の二位置において規制する第１および第２の規制手段を備えたことを特徴とする請求項１記載の電子機器用卓上および壁掛け装置。
【請求項３】
前記本体部材に長孔を設け、前記角度調整部材に前記長孔に係入される軸を設け、前記軸を前記長孔内を移動させることにより、前記角度調整部材に対する前記第１および第２の規制手段による規制と規制解除とを行うことを特徴とする請求項２記載の電子機器用卓上および壁掛け装置。
【発明の詳細な説明】
【技術分野】
【０００１】
本発明は、机等の卓上と壁面とのいずれにも設置することができる電子機器に備えられる電子機器用卓上および壁掛け装置に関するものである。
【背景技術】
【０００２】
この種の電子機器を卓上に設置して使用する場合は、電子機器の正面部に設けられた操作釦等を操作し易くするために、機器底面に角度調整部材を取り付けて、操作面の卓上面に対する角度を調節可能とすることが要望されている。また、電子機器を壁面に設置して使用する場合は、電子機器を壁面に設置するためのブラケットを先に壁面に取り付けてから、このブラケットに電子機器を装着する方法と、先にブラケットに電子機器を装着してから、ブラケットを壁面に取り付ける方法との二方法が可能であることが要望されている。
【０００３】
これらの要望に応えるものとして、機器の底面に前後方向を反転させて着脱自在に取り付けられるとともに、壁面に着脱自在に取り付けられる角度アダプターと、この角度アダプターの一端に支持され、壁面設置時には壁面と機器底面との間の空間に収容され、卓上設置時には機器正面の操作面の卓上面に対する角度を調節する支持部材とを備えたものがある（例えば、特許文献１参照）。
【先行技術文献】
【特許文献】
【０００４】
【特許文献１】特開平９−３２６８５３号公報（段落〔００４１〕〜〔００４７〕、図１，２，８，９）
【発明の概要】
【発明が解決しようとする課題】
【０００５】
上述したような電子機器用卓上および壁掛け装置においては、卓上に設置して使用する場合は、角度アダプターを機器底面に回転自在となるように取り付ける作業の他に、支持部材を回動させて起立させるという作業が必要であった。また、この支持部材を起立させる作業は、角度アダプターと機器底面との間の狭い空間で支持部材の嵌合突起を機器底面に設けた嵌合孔に嵌合させる作業であるため、作業が煩雑になるという問題があった。
【０００６】
本発明は上記した従来の問題に鑑みなされたものであり、その目的とするところは、卓上で使用する場合と壁掛けで使用する場合との間の切替えの作業性を向上させた電子機器用卓上および壁掛け装置を提供するところにある。
【課題を解決するための手段】
【０００７】
この目的を達成するために、本発明は、機器底面に表裏および前後方向を反転させて着脱自在に取り付けられるとともに、壁面に着脱自在に取り付けられる本体部材と、前記本体部材の一端に支持され、機器底面の前側に位置する壁面設置時には壁面と機器底面との間の空間に収容され、機器底面の後側に位置する卓上設置時には、卓上と前記本体部材との間に位置し機器正面の操作面の卓上面に対する角度を調節する角度調整部材とを備えたものである。
【発明の効果】
【０００８】
本発明によれば、電子機器用卓上および壁掛け装置を、機器底面に表裏および前後方向を反転させて着脱自在に取り付ける作業のみにより、電子機器を卓上または壁面に選択的に設置することができるため、従来のように電子機器用卓上および壁掛け装置を電子機器の底面に取り付けた後に、角度調整部材を操作する作業を必要としないから、煩雑な作業が不要になり使い勝手が向上する。
【図面の簡単な説明】
【０００９】
【図１】本願発明に係る電子機器用卓上および壁掛け装置を分解して示す斜視図である。
【図２】本願発明に係る電子機器用卓上および壁掛け装置の斜視図である。
【図３】同図（Ａ）は本願発明に係る電子機器用卓上および壁掛け装置の正面図、同図（Ｂ）は側面図である。
【図４】同図（Ａ）は図３（Ａ）におけるIV（Ａ）-IV（Ａ） 線断面図、同図（Ｂ）は図３（Ａ）におけるIV（Ｂ）-IV（Ｂ） 線断面図である。
【図５】本願発明に係る電子機器用卓上および壁掛け装置の角度調整部材の回動動作を説明するための図３（Ａ）におけるIV（Ａ）-IV（Ａ） 線断面図である。
【図６】本願発明に係る電子機器用卓上および壁掛け装置の角度調整部材の回動動作を説明するための図３（Ａ）におけるIV（Ｂ）-IV（Ｂ） 線断面図である。
【図７】同図（Ａ）は本願発明に係る電子機器用卓上および壁掛け装置を先に壁面に取り付けてから電子機器を壁面に設置する状態を示す斜視図、同図（Ｂ）は同じく電子機器を壁面に設置した状態を示す側面図である。
【図８】本願発明に係る電子機器用卓上および壁掛け装置に電子機器を取り付けてから壁面に設置する状態を示す斜視図である。
【図９】本願発明に係る電子機器用卓上および壁掛け装置を卓上で使用する場合の斜視図である。
【図１０】本願発明に係る電子機器用卓上および壁掛け装置を卓上用として電子機器の底面に取り付けた状態を底面側から視た斜視図である。
【図１１】同図（Ａ）は電子機器を卓上に設置した状態を示す側面図、同図（Ｂ）は同じく立ち上げ角度が小さい状態を示す斜視図、同図（Ｃ）は同じく立ち上げ角度を大きくした状態を示す斜視図である。
【発明を実施するための形態】
【００１０】
以下、本発明の実施の形態を図１ないし１１に基づいて説明する。
【００１１】
図１に全体を符号１で示す電子機器用卓上および壁掛け装置は、平板状に形成された本体部材２と、この本体部材２に回転自在に支持され断面がコ字状に形成された角度調整部材３とによって構成されている。本体部材２の中央部には正方形の係合孔５が設けられており、この係合孔５を挟むように上下には、達磨状のフック孔６Ａ，６Ｂが設けられている。本体部材２の上端部８は直角に折り曲げられ、この上端部８には左右一対の凸条体９，９が突設されている。
【００１２】
本体部材２の左右端には一対の突片１０，１０が左右方向に突設されており、この突片１０の突出端部には、本体部材２の表面２Ａ側に向かってＬ字状の係合突子１０ａが突設され、この係合突子１０ａの下面は、角度調整部材３の後述する側板１６の第１および第２の係合部１６ａ，１６ｂと、支持片１７の第１および第２の係合部１７ａ，１７ｂとが係合する係合部１０ｂを形成している。これら突片１０，１０の下方には、本体部材２の表面２Ａ側に向かって支持片１１が突設されており、これら支持片１１，１１のそれぞれの外面には、軸１１ａ，１１ａが互いに反対方向に向かって突設されている。
【００１３】
角度調整部材３は、ゴム足１４，１４が左右の両端部に突設された底板１５と、両側板１６，１６と、この両側板１６と対向するように両側板１６から折り返されるように形成された弾性変形可能な支持片１７，１７と、底板１５の背面側に突設されたリブ１８とによって構成されている。両側板１６の上端には、水平方向に延在する第１の係合部１６ａと、傾斜した第２の係合部１６ｂとが形成されている。支持片１７の上端には、両側板１６の第１および第２の係合部１６ａ，１６ｂのそれぞれと同じ形状を有する第１および第２の係合部１７ａ，１７ｂが形成されているとともに、上記した支持片１１の軸１１ａが係入される長孔１７ｃが設けられている。リブ１８には、本体部材２の下端縁２ａに係合する一対の規制片１９，１９が設けられている。
【００１４】
このような構成において、角度調整部材３の支持片１７，１７を弾性変形させながら、これら支持片１７，１７の長孔１７ｃ，１７ｃに本体部材２の支持片１１，１１の軸１１ａ，１１ａを係入させることにより、角度調整部材３が本体部材２に軸１１ａを回転中心として回転自在に支持される。ここで、角度調整部材３の第１の係合部１６ａ，１７ａを本体部材２の係合部１０ａに係合させた図４（Ａ）に示す状態で、軸１１ａを回転中心として角度調整部材３を反時計方向に回転させると、規制片１９が本体部材２の下端縁２ａに係合して角度調整部材３の反時計方向への回転が規制される。また、この状態から、軸１１ａを長孔１７ｃ内を摺動させるように、角度調整部材３を下方に移動させると、図６（Ａ）に示すように角度調整部材３の第１の係合部１６ａ，１７ａと本体部材２の係合部１０ａとの係合が解除され、角度調整部材３が時計方向に回動可能になる。
【００１５】
電子機器２０の底面２１には、図７（Ａ）に示すように底面視コ字状に形成された袴２２が突設されており、この袴２２の矢印Ｂ方向に位置する一辺２２ａの内側には、上記した本体部材２の凸条体９，９が係入される一対の凹部（図示せず）が設けられている。２３，２３は袴２２の両側部に設けられた保持ブロックであって、この保持ブロック２３，２３には、本体部材２の係合突子１０ａ，１０ａが係入される溝２３ａ，２３ａが設けられている。
【００１６】
２４，２４は電子機器２０の底面２１に一体に突設した弾性変形可能な一対の係合片であって、後述するように本体部材２の係合孔５の両側縁に係合する。２５，２５は電子機器２０の底面２１の袴２２に近接した部位に設けられた嵌合凹部であって、後述するように角度調整部材３の第１の係合部１６ａ，１７ａが嵌合される。２６，２６は電子機器２０の底面２１に設けられたゴム足であって、電子機器２０を机２８の卓上に設置したときに、本体部材２のゴム足１４と共に机２８の卓上に支承される。
【００１７】
次に、このように構成された電子機器用卓上および壁掛け装置１を使用して電子機器２０を壁面に設置する場合について説明する。先ず、図７を用いて、先に電子機器用卓上および壁掛け装置１を壁面に取り付けてから、電子機器１を壁面に設置する場合について説明する。角度調整部材３を、同図（Ａ）に示すように本体部材２の下方に位置付け、本体部材２の裏面２Ｂを壁面２７に対向させ、壁面２７に植設した２本のボルト（図示せず）を孔６Ａ，６Ｂに係入させることにより、電子機器用卓上および壁掛け装置１を壁面２７に取り付ける。
【００１８】
この状態で、電子機器用卓上および壁掛け装置１の凸条体９，９を、電子機器１の袴２２の一辺２２ａに設けた凹部（図示せず）に係入させ、凹部を中心として電子機器１を電子機器用卓上および壁掛け装置１側に回動させ、本体部材２の係合突子１０ａ，１０ａを電子機器２０の底面２１の溝２３ａ，２３ａに係入させる。この係入によって、電子機器２０の底面２１に設けた係合片２４，２４が弾性変形しながら本体部材２の係合孔５の両側縁に係合するので、電子機器１が、同図（Ｂ）に示すように電子機器用卓上および壁掛け装置１を介して壁面２７に取り付けられる。
【００１９】
次に、図７および８を用いて、予め電子機器２０に電子機器用卓上および壁掛け装置１を取り付けておいてから壁面に設置する場合について説明する。この場合は、先ず角度調整部材３を、図７（Ａ）に示すように本体部材２の下方に位置付け、本体部材２の表面２Ａを電子機器２０の底面２１に対向させる。このような状態として、電子機器用卓上および壁掛け装置１の凸条体９，９を、電子機器１の袴２２の一辺２２ａに設けた凹部（図示せず）に係入させ、凹部を中心として電子機器用卓上および壁掛け装置１を電子機器１側に回動させる。
【００２０】
この回動によって、本体部材２の係合突子１０ａ，１０ａが電子機器２０の底面２１の溝２３ａ，２３ａに係入され、電子機器２０の底面２１に設けた係合片２４，２４が弾性変形しながら本体部材２の係合孔５の両側縁に係合することにより、電子機器用卓上および壁掛け装置１が電子機器１に取り付けられる。次いで、電子機器２０に取り付けられた電子機器用卓上および壁掛け装置１の本体部材２の裏面２Ｂを壁面２７に対向させ、壁面２７に植設した２本のボルト（図示せず）を孔６Ａ，６Ｂに係入させることにより、電子機器２０が電子機器用卓上および壁掛け装置１を介して壁面２７に取り付ける。このように、電子機器用卓上および壁掛け装置１を介して電子機器２０を壁面２７に設置すると、図７（Ｂ）に示すように、角度調整部材３は、電子機器２０の底面２１の前側（矢印Ａ方向）に位置するとともに、壁面２７と底面２１との間の空間に収容される。
【００２１】
また、このように電子機器用卓上および壁掛け装置１を介して壁面２７に設置された電子機器２０を壁面２７から取り外す場合は、先ず、壁面２７に植設したボルト（図示せず）から電子機器用卓上および壁掛け装置１の孔６Ａ，６Ｂの係入を解除して、電子機器用卓上および壁掛け装置１といっしょに電子機器２０を壁面２７から取り外す。次いで、係合片２４，２４を弾性変形させながら、本体部材２の係合孔５との係合を解除することにより、電子機器用卓上および壁掛け装置１から電子機器２０を取り外す。
【００２２】
次に、図２および図４ないし６ならびに図９ないし１１を用いて、電子機器２０を卓上に設置する場合について説明する。先ず、電子機器用卓上および壁掛け装置１の前後方向（矢印Ａ−Ｂ方向）を、図２で示す壁掛けで使用する状態から図９で示すように反転させるとともに、電子機器２０の底面２１に対して、表裏も反転させる。すなわち、後述するように電子機器用卓上および壁掛け装置１の表面２Ａを机２８に対向させ、裏面２Ｂを電子機器２０の底面２１に対向させる。
【００２３】
この状態で、本体部材２の突片１０，１０を、図１０に示すように電子機器２０の底面２１の保持ブロック２３，２３に載置し、底面２１に設けた係合片２４，２４を弾性変形させながら、係合孔５の両側縁に係合させることにより、角度調整部材３が電子機器２０の後側（矢印Ｂ方向）に位置付けられて、電子機器用卓上および壁掛け装置１が裏面２Ｂを底面２１に対向させた状態で取り付けられる。
【００２４】
この状態で、角度調整部材３の底板１５が電子機器２０の袴２２の一辺２２ａに係合するので、角度調整部材３の矢印Ｂ方向への移動が規制されているとともに、角度調整部材３の規制片１９が、図４（Ａ）に示すように本体部材２の下端縁２ａに係合して角度調整部材３の反時計方向への回転が規制されている。したがって、電子機器２０を、図１１に示すように机２８の卓上に設置すると、底面２１に設けたゴム足２６と、角度調整部材３に設けたゴム足１４とが机２８に載置され、電子機器２０の操作釦（図示せず）等が設けられた操作面２９と机２８の卓上との角度がαに設定される。
【００２５】
すなわち、角度調整部材３の規制片１９と、この規制片１９が係合する本体部材２の下端縁２ａとが、電子機器２０を机２８の卓上に設置したときに、角度調整部材３の回動を規制して電子機器２０の操作面２９と机２８の卓上との角度をαに設定する第１の規制手段を構成している。このように、電子機器用卓上および壁掛け装置１を電子機器２０の底面２１に取り付けることにより、電子機器２０を机２８の卓上に設置すると、角度調整部材３を操作することなく、操作面２９と机２８の卓上との角度がαに設定されるため、角度調整部材３を操作するような煩雑な作業が不要になり使い勝手が向上する。
【００２６】
この状態から、角度調整部材３の長孔１７ｃ内を本体部材２の軸１１ａを摺動させるように、角度調整部材３を、図４（Ｂ）に示すように矢印Ｄ方向に移動させることにより、図６（Ａ）に示すように角度調整部材３の第１の係合部１６ａ，１７ａと本体部材２の係合部１０ａとの係合が解除され、角度調整部材３が時計方向に回動可能になる。角度調整部材３を、同図（Ｂ）に示すように軸１１ａを回動中心として時計方向に回動させ、角度調整部材３の第２の係合部１６ｂ，１７ｂを本体部材２の係合部１０ａに対向させる。
【００２７】
この状態で、角度調整部材３の長孔１７ｃ内を本体部材２の軸１１ａを摺動させるように、角度調整部材３を、同図（Ｃ）に示すように矢印Ｃ方向に移動させることにより、角度調整部材３の第１の係合部１６ａ，１７ａを電子機器２０の底面２１の嵌合凹部２５に嵌合させて、角度調整部材３の回動を規制する。したがって、この角度調整部材３によって、電子機器２０は、図１１（Ｃ）に示すように電子機器２０の操作面２９と机２８の卓上との角度がα以上に設定される。すなわち、角度調整部材３の第１の係合部１６ａ，１７ａと、これら第１の係合部１６ａ，１７ａが嵌合する電子機器２０の底面２１の嵌合凹部２５とが、電子機器２０を机２８の卓上に設置したときに、角度調整部材３の回動を規制して電子機器２０の操作面２９と机２８の卓上との角度をα以上に設定する第２の規制手段を構成している。電子機器２０から電子機器用卓上および壁掛け装置１を取り外す場合は、係合片２４，２４を弾性変形させながら、本体部材２の係合孔５との係合を解除することにより行う。
【００２８】
このように、従来のように角度調整部材３が本体部材２と電子機器２０の底面２１との間に設けられているのではなく、角度調整部材３が机２８の卓上と電子機器２０の底面２１との間に設けられているため、角度調整部材３の作業が容易になる。また、電子機器２０の操作面２９と机２８の卓上との角度をαとα以上に設定する構造として、軸１１ａを長孔１７ｃに係入させ、角度調整部材３の規制片１９と本体部材２の下端縁２ａとからなる第１の規制手段と、角度調整部材３の第１の係合部１６ａ，１７ａと電子機器２０の底面２１の嵌合凹部２５とからなる第２の規制手段とによって構成したことにより、構造が簡素化され、かつ装置を小型化することができる。
【符号の説明】
【００２９】
１…電子機器用卓上および壁掛け装置、２…本体部材、２Ａ…表面、２Ｂ…裏面、２ａ…下端縁（第１の規制手段）、３…角度調整部材、５…孔、６Ａ，６Ｂ…フック孔、１１ａ…軸、１６ａ，１７ａ…第１の係合部（第１の規制手段）、１７ｃ…長孔、１９…規制片（第１の規制手段）、２０…電子機器、２１…底面、２４…係合片、２５…嵌合凹部（第２の規制手段）、２７…壁面、２８…机、２９…操作面。
【図１】
2010239175.tif 000003
【図２】
2010239175.tif 000004
【図３】
2010239175.tif 000005
【図４】
2010239175.tif 000006
【図５】
2010239175.tif 000007
【図６】
2010239175.tif 000008
【図７】
2010239175.tif 000009
【図８】
2010239175.tif 000010
【図９】
2010239175.tif 000011
【図１０】
2010239175.tif 000012
【図１１】
2010239175.tif 000013